(57)【要約】【課題】コイルの性能向上の為、巻線装置により断面矩形状の角線をボビンに巻く場合に、ボビンの端部の折り返し端において角線が重なると丸線のようには滑り落ちないため２重、３重に巻き付いて層状に整列しにくい。ボビン外で角線を案内する線ガイドを数値制御により精密に位置制御することも可能ではあるが巻線装置が高価になる。特に１００μｍ以下の太さの角線を巻く巻線装置では一層高精度の制御が必要である。【解決手段】ボビン３の中間に対応する位置に線ガイド５を位置不変に設け、ボビン３に巻かれる角線２を整列するように案内する整列板６を設け、整列板６をボビン軸心方向へ摺動移動自在に支持し、自重で整列板６をボビン側へ付勢し、整列板６のボビン周面側の当接部に約４５度に傾斜した１対の案内面を形成し、線ガイド５と整列板６の案内作用により、ボビン３に角線２をボビン軸方向に密着状に並べて整列させ、極細の角線２を１０層以上に巻く。【選択図】  図１
2005203551.tif 000002
【特許請求の範囲】
【請求項１】
断面矩形状の角線をボビンに多層整列状に巻き付ける巻線装置において、
前記ボビンを着脱可能に装着する為の巻取軸と、
前記巻取軸を回転させ角線供給源から供給される角線をボビンに巻く巻取駆動手段と、  前記巻取軸に装着されたボビンに供給される角線を案内する為に、ボビンから所定距離離隔し且つボビンの軸心方向の中間位置に対応する位置に設けられた線ガイドと、
前記線ガイドで案内された角線をボビンに巻く際に角線がボビン軸心方向に密着状に並んで整列するように角線を案内する整列板と、
前記整列板をボビンの軸心方向と平行方向へ移動自在に支持すると共に整列板をボビンの周面に対して接近・離隔する方向へ移動自在に支持する整列板支持機構と、
を備えたことを特徴とする巻線装置。
【請求項２】
前記整列板支持機構は、整列板がボビンの軸心方向と平行方向へ移動する際に整列板に、角線を密着させる為の抵抗を付与する抵抗付与手段を有することを特徴とする請求項１に記載の巻線装置。
【請求項３】
前記整列板支持機構は、整列板をボビンの周面に接近する方向へ付勢する付勢手段を有することを特徴とする請求項２に記載の巻線装置。
【請求項４】
前記整列板はボビン又はボビンに巻かれた角線の周面の少なくとも一部に当接する当接部を有し、この当接部とその近傍部に、ボビン軸心と直交する面に対して傾斜し且つ角線が密着状に整列するように案内する１対の案内面を形成したことを特徴とする請求項１〜３の何れかに記載の巻線装置。
【請求項５】
前記案内面の傾斜角は約４５度であることを特徴とする請求項４に記載の巻線装置。
【請求項６】
前記角線のボビン軸心方向の幅をｄとして、案内面のボビン軸心方向の長さは（２〜３）ｄであることを特徴とする請求項５に記載の巻線装置。
【発明の詳細な説明】
【技術分野】
【０００１】
本発明は、電子機器や電気機器に用いるコイルを製作する際にボビンに巻線を巻く巻線装置に関し、特に断面が矩形状の角線を多層整列状に巻く巻線装置に関するものである。
【背景技術】
【０００２】
モータ用のコイル、ソレノイドアクチュエータのコイル、その他電子機器や電気機器のコイルは、巻線装置を用いて、ボビンに巻線を多層に整列状に巻きつけた構造である。
前記巻線装置として種々の構成のものが実用に供されているが、代表的な巻線装置は、巻線を供給する巻線供給リール、ボビンを支持して回転駆動される巻取り機構、巻取り機構の回転角を検出するロータリエンコーダ、ボビンに対する巻線の流れ方向の上流側において巻線を案内し且つボビンの軸心方向へ移動可能に支持され数値制御でボビンの軸心方向と平行方向へ移動駆動されて巻線の位置を案内する線ガイド、ロータリエンコーダの検出信号を受けて少なくとも線ガイドを移動駆動するアクチュエータを制御する制御装置などを有する。
【０００３】
前記の巻線装置によりボビンに巻線を巻く際には、巻線がボビン軸心方向に密着状に並んで整列するように線ガイドにより巻線を案内し、巻線がボビンの端部に到達した際には、ボビンの端部において巻線が２重、３重に巻き付かないように線ガイドにより巻線を案内する。
従来、通常のコイルでは丸断面の巻線（丸線とする）が採用されており、この丸線の場合には、丸線が上下に重なっても滑りやすいためボビンの端部においても整列しやすい。
【０００４】
ところで、丸線を多層に巻いたとしても巻線の密度（占積率）を高めるには限界があるが、断面が矩形状の巻線（角線とする）は占積率を高めてコイルの小型化又は出力アップを図る上で有利である。
特許文献１には、ドットプリンタのハンマピン駆動用ソレノイドコイルに角線を採用した例が開示されている。前記のソレノイドコイルでは、偏平化されたボビンの側周壁の強度向上のため、側周壁に三角山形状のリブを複数列形成し、それら複数列のリブの角形谷間に角線の角部半分を収容する形に角線を巻き、２層目以降は角線と角線で形成される角形谷間に角線の角部半分を収容する形に角線を巻く構成を採用している。尚、この特許文献１には、巻線装置は開示されていない。
【０００５】
特許文献２には、角線をボビンに巻く巻線装置が開示されているが、この巻線装置では、角線を巻く直前に角線を成形加工して角線に、重なり合った角線を位置規制するための保持部を形成する。この特許文献２の巻線装置は、角線を供給する供給リール、リールから供給される角線に張力を付与するテンショナー、角線に成形加工する保持部形成手段、ガイドローラ、ボビンへ巻き終わる毎に角線を切断するカッター、ボビンを支持して回転駆動する巻き取り機構、その回転角を検出するロータリエンコーダ、ボビンを着脱するロボット、制御装置などを備えている。
【特許文献１】特開２０００−２８２３３４号公報
【特許文献２】特開２００１−３５９２５０号公報
【発明の開示】
【発明が解決しようとする課題】
【０００６】
角線をボビンに巻く巻線装置においては、角線が上下に僅かでも重なり合った場合に、角線の平面部同士が接触するため滑りにくいので、層状に整列させることが難しい。
前記の線ガイドで角線を案内する巻線装置を採用した場合、ボビンに角線を巻着付けながら線ガイドをボビン軸心方向へ移動させ、角線がボビンの端部に到達した場合には、ボビン端部に到達したことを高精度の巻線検出センサにより検出し、直ちに線ガイドの位置を精密に切換える必要がある。前記のボビン端部の検出の精度が低い場合や、線ガイドの位置切換えのタイミングが高精度に設定されない場合には、ボビン端部において角線が整列せずに２重、３重に巻き付いてしまったり、角線がボビン端部から離隔する方向へ折り返した場合に、角線がボビン軸心方向に密着しない状態に巻かれてしまい、不良品が発生する。
【０００７】
前記巻線検出センサによる検出精度、線ガイドの位置制御の精度などを高めることにより、角線をボビンに多層整列状に巻取ることは、技術的には不可能ではない。しかし、最新のディジタルカメラや携帯電話等に組み込まれる小型モータに採用するコイルの場合、例えば、巻線の太さは約５０μｍ、ボビンの外径が約６〜８ｍｍであるので、このコイルを製作する為の巻線装置では、前記の諸精度を極度に高める必要があり、巻線装置が非常に高価になるうえ、装置の性能面の信頼性を十分に高めることも難しい。
【０００８】
本発明の目的は、角線をボビンに巻く簡単な構成の巻線装置を提供すること、角線をボビンに巻く安価に製作可能な巻線装置を提供すること、である。
【課題を解決するための手段】
【０００９】
請求項１の巻線装置は、断面矩形状の角線をボビンに多層整列状に巻き付ける巻線装置において、前記ボビンを着脱可能に装着する為の巻取軸と、前記巻取軸を回転させ角線供給源から供給される角線をボビンに巻く巻取駆動手段と、前記巻取軸に装着されたボビンに供給される角線を案内する為に、ボビンから所定距離離隔し且つボビンの軸心方向の中間位置に対応する位置に設けられた線ガイドと、前記線ガイドで案内された角線をボビンに巻く際に角線がボビン軸心方向に密着状に並んで整列するように角線を案内する整列板と、前記整列板をボビンの軸心方向と平行方向へ移動自在に支持すると共に整列板をボビンの周面に対して接近・離隔する方向へ移動自在に支持する整列板支持機構とを備えたことを特徴とするものである。
【００１０】
巻線装置によりボビンに角線を巻く際には、巻取軸にボビンを着脱可能に装着し、角線供給源から供給される角線を線ガイドで案内しながら、巻取駆動手段で巻取軸を回転させて角線をボビンに巻いていく。整列板は整列板支持機構によりボビンの軸心方向と平行方向へ移動自在に支持されると共にボビンの周面に対して接近・離隔する方向へ移動自在に支持されており、角線をボビンに巻く際に、整列板により、角線がボビン軸心方向に密着状に並んで整列するように角線を案内する。整列板がボビンの周面に対して接近・離隔する方向へ移動自在であるため、ボビンに多層に角線を巻くことができる。
【００１１】
請求項２の巻線装置は、請求項１の発明において、前記整列板支持機構は、整列板がボビンの軸心方向と平行方向へ移動する際に整列板に、角線を密着させる為の抵抗を付与する抵抗付与手段を有することを特徴とするものである。角線がボビンに巻き付ける際に、角線を整列板に接触させた状態を維持しながら整列板はボビンの軸心方向と平行方向へ移動する。このとき、整列板支持機構の抵抗付与手段から整列板に抵抗が付与されているため、角線と整列板の接触状態が維持され、角線が密着状に並んで整列していく。
【００１２】
請求項３の巻線装置は、請求項２の発明において、前記整列板支持機構は、整列板をボビンの周面に接近する方向へ付勢する付勢手段を有することを特徴とするものである。
整列板支持機構の付勢手段により整列板がボビンの周面に接近する方向へ付勢されているため、整列板をボビンに接触する状態を維持し、整列板の角線案内機能を確保することができる。
【００１３】
請求項４の巻線装置は、請求項１〜３の何れかに記載の発明において、前記整列板はボビン又はボビンに巻かれた角線の周面の少なくとも一部に当接する当接部を有し、この当接部とその近傍部に、ボビン軸心と直交する面に対して傾斜し且つ角線が密着状に整列するように案内する１対の案内面を形成したことを特徴とするものである。
角線をボビンに巻き付けていくとき、整列板も角線に接触しながらボビン軸心方向へ移動していく。線ガイドがボビンから所定距離離隔し且つボビンの軸心方向の中間位置に対応する位置に設けられているため、角線がボビン端部から中間位置に達するまでは、整列板の案内作用により角線が密着状に整列していく。
【００１４】
角線がボビンの中間位置を通過した後は、整列板の案内作用と、線ガイドの案内作用により、角線が密着状に整列していく。次に、ボビンの端部において整列板がボビンの鍔部に当接したとき、その鍔部と反対側の案内面の案内作用により、角線が当接部の内周側端部下へ潜り込んで、鍔部側の案内面の内周側に移動し、線ガイドの案内作用だけで角線が密着して整列していく。角線がボビンの鍔部に当接すると、角線が１層上の層に移動するが、このとき線ガイドの案内作用とと鍔部側の案内面の案内作用により、角線が前記１層上の層に密着状に整列し始め、その後前記と同様にボビンに密着状に整列して巻かれていく。
【００１５】
請求項５の巻線装置は、請求項４の発明において、前記案内面の傾斜角は約４５度であることを特徴とするものである。ここで、前記の傾斜角はボビン軸心と直交する面に対する傾斜角であり、約４５度は４０〜５０度の範囲を包含するものである。
前記傾斜角が４０度より小さい場合は、請求項４の作用の欄で説明したように、整列板がボビンの鍔部に当接した際に角線が整列板の内周側端部下へ潜り込みにくくなる。また、前記傾斜角が５０度より大きい場合は、角線がボビンの鍔部の位置で折り返してから互いに密着状に並びにくくなる。
【００１６】
請求項６の巻線装置は、請求項５の発明において、前記角線のボビン軸心方向の幅をｄとして、案内面のボビン軸心方向の長さは（２〜３）ｄであることを特徴とするものである。前記案内面のボビン軸心方向の長さが前記の値よりも小さい場合は、請求項４の作用の欄で説明したように、整列板がボビンの鍔部に当接した際に角線が整列板の内周側端部下へ潜り込みにくくなる。前記案内面のボビン軸心方向の長さが前記の値よりも大きい場合は、角線がボビンの鍔部の位置で折り返してから互いに密着状に並びにくくなる。
【発明の効果】
【００１７】
請求項１の発明においては、巻取軸と、巻取駆動手段と、線ガイドと、角線をボビンに巻く際に角線がボビン軸心方向に密着状に並んで整列するように角線を案内する整列板と、整列板をボビンの軸心方向と平行方向へ移動自在に支持すると共に整列板をボビンの周面に対して接近・離隔する方向へ移動自在に支持する整列板支持機構とを設けたので、簡単な構成の整列板と整列支持機構を介して、高精度の検出や複数な制御を必要とすることなく、角線をボビンに多層に整列状に巻き付けることができる。しかも、高精度の検出や複数な制御を必要としない簡単な構成であるので、巻線装置を安価に製作できる。
【００１８】
請求項２の発明においては、整列板支持機構に抵抗付与手段を設けたため、ボビンに角線を巻く際に角線と整列板の接触状態を維持し、角線を密着状に整列させて巻くことができる。
請求項３の発明においては、整列板支持機構の付勢手段により整列板がボビンの周面に接近する方向へ付勢されているため、整列板をボビンに接触する状態を維持し、整列板の角線案内機能を確保することができる。
【００１９】
請求項４の発明においては、整列板はボビン又はボビンに巻かれた角線の周面の少なくとも一部に当接する当接部を有し、この当接部とその近傍部に、ボビン軸心と直交する面に対して傾斜し且つ角線が密着状に整列するように案内する１対の案内面を形成したので、整列板がボビンの鍔部に当接した際に、角線が整列板の内周側端部下へ移動でき、ボビンの鍔部の位置まで角線を密着状に整列させて巻き付けることができ、角線が鍔部に当接後には確実に折り返し方向へ折り返して密着状に整列させて巻き付けることができる。
【００２０】
請求項５の発明においては、前記案内面の傾斜角は約４５度であるため、請求項４の作用の欄で説明したように、整列板がボビンの鍔部に当接した際に角線が整列板の内周側端部下へ潜り込みやすく、角線がボビンの鍔部の位置で確実に折り返して密着状に整列しやすくなる。
【００２１】
請求項６の発明においては、前記角線のボビン軸心方向の幅をｄとして、案内面のボビン軸心方向の長さは（２〜３）ｄであるため、請求項４の作用の欄で説明したように、整列板がボビンの鍔部に当接した際に角線が整列板の内周側端部下へ潜り込みやすくなるうえ、角線がボビンの鍔部の位置で確実に折り返して密着状に整列しやすくなる。
【発明を実施するための最良の形態】
【００２２】
本発明は、断面矩形状の角線をボビンに多層整列状に巻き付ける巻線装置に係るものであり、この巻線装置は、電気機器や電子機器用の種々のコイル、電動モータ用の種々のコイル、ソレノイドアクチュエータ用の種々のコイルを作成する際に、ボビンに巻線を巻く装置である。
【実施例１】
【００２３】
本実施例は、ディジタルカメラの自動焦点機構を駆動する小型電動モータの界磁コイルを作成する巻線装置に本発明を適用した場合の一例である。
図１〜図３に示すように、この巻線装置１は、断面矩形状の角線２をボビン３に多層整列状に巻き付ける装置である。この巻線装置１は、断面正方形状の角線２（例えば、線幅約４０〜５０μｍ）を供給する角線供給リール４（角線供給源）、ボビン３を着脱可能に装着する為の巻取軸１０、この巻取軸１０を回転させる巻取駆動機構２０（巻取駆動手段）、線ガイド５と、ボビンの近傍位置において角線２を案内する整列板６と、整列板支持機構４０などを備えている。
【００２４】
巻取軸１０は、先端部の小径のボビン装着部１１とテーパ部１２と大径軸部１３を一体形成して水平姿勢に配設され、大径軸部１３が巻取軸支持台１４に軸受けメタル１５により回転自在に支持され、セットカラー１６により軸方向へ移動しないように規制されている。巻取軸１０のボビン装着部１１に着脱可能に且つ相対回転不能に装着されたボビン３は、カラー１７により位置規制されると共に、ボビン装着部１１の先端側から押え具（図示外）により軸方向へ移動しないように位置規制される。角線供給リール４はボビン３の前方に離隔した位置に配設され、角線２は角線供給リール４から線ガイド５を経由してほぼ水平にボビン３に導入される。
【００２５】
合成樹脂製のボビン３は角線２を巻く円筒部３ａ（例えば、外径約６〜８ｍｍ、長さ約１０〜２０ｍｍ）と、その両端の鍔部３ｂ（例えば、外径１０ｍｍ）とを有する。尚、ボビン３は両端部と長さ方向中間部に鍔部を有するものもあり、４個以上の鍔部を有する場合もある。巻取駆動機構２０は、巻取軸１０を回転させ角線供給リール４から供給される角線２をボビン３に巻くものである。巻取駆動機構２０は電動モータ２１と減速ギヤボックス２２を備え、巻取駆動機構２０の出力軸２３の右端部と巻取軸１０の端部がカップリング２４により連結されている。巻取駆動機構２０の出力軸の回転角（回転量）を検出する回転検出機構３０は、出力軸の左端部に設けられたエンコーダディスク３１と、エンコーダディスク３１の外周付近部に形成された多数の微小スリットを検出するフォトマイクロセンサ３２とで構成され、フォトマイクロセンサ３２の検出信号は制御装置（図示略）に供給される。
【００２６】
回転検出機構３０からの検出信号に基づいて電動モータ２１の回転速度を制御することも可能であるが、本実施例の巻線装置１では、ボビン３に角線を巻く際の電動モータ２１の回転速度は一定にしている。そして、回転検出機構３０からの検出信号に基づいて、角線２の線径（線幅）を加味してボビン３に巻かれた角線２の合計長さが演算され、設定長さの角線２がボビン３に巻き付けられた時に、電動モータ２１が停止してボビン３の交換が実行される。
【００２７】
線ガイド５は、巻取軸１０に装着されたボビン３に供給される角線２を案内する為に、ボビン３から図１における前側へ所定距離離隔し且つ巻取軸１０のボビン装着部１１に装着されたボビン３の軸心方向の中間位置に対応する位置に設けられている。角線供給リール４から供給される角線２は線ガイド５により僅かに屈曲されてボビン３へ水平に導入される。
【００２８】
整列板６は、線ガイド５で案内された角線２をボビン３に巻く際に角線２がボビン軸心方向に密着して並んで整列するように角線２を案内するものである。整列板６は、摺動抵抗の少ない金属（例えば真鍮）製の板材（例えば、厚さ約３００〜４００μｍ）で構成されている。図４〜図６に示すように、整列板６は、矩形板の角部に矩形状の切欠き６ａを形成し、その切欠き６ａの２辺に、夫々、ボビン３又はボビン３に巻かれた角線２の周面の少なくとも一部に当接する当接部６１，６２を形成してある。各当接部６１，６２とその近傍部に、ボビン軸心と直交する面３ｃに対して傾斜し且つ角線２がボビン軸心方向に密着状に並んで整列するように案内する１対の案内面６１ａ，６２ａと、それらの間の平坦面６１ｂ，６２ｂとが形成されている。案内面６１ａ，６２ａのボビン軸心と直交する面３ｃに対する傾斜角は約４５度（例えば４０〜５０度）である。角線２のボビン軸心方向の幅をｄとして、案内面６１ａ，６２ａのボビン軸心方向の長さは（２〜３）ｄであり、平坦面６１ｂ，６２ｂの幅も（２〜３）ｄである。
【００２９】
整列板支持機構４０は、整列板６をボビンの軸心方向と平行方向へ移動自在に支持すると共に整列板６をボビン３の周面に対して接近・離隔する方向へ移動自在に支持するものである。この整列板支持機構４０は、ボビン３の軸心方向と平行に水平に配設され整列板６を直接支持する可動ロッド４１と、この可動ロッド４１を支持する４５度傾斜姿勢のスライド部材４２と、このスライド部材４２を平面ベアリング（例えば、クロスローラテーブル）を介して４５度傾斜方向へスライド自在に案内するベース部材４３と、下部フレーム４４と、付勢力調整機構５０と、ボールプランジャ６０などを有する。
【００３０】
可動ロッド４１の左端部には、整列板６がボビン軸心と直交する面と平行な姿勢にして固着され、可動ロッド４１はスライド部材４２の水平摺動孔４２ａに潤滑油を介して摺動移動自在に貫通状に装着されている。可動ロッド４１は例えばステンレス製であり、スライド部材４２は例えば真鍮製であり、可動ロッド４１と水平摺動孔４２ａは高精度に機械加工され、所定の種類の潤滑油を介して水平摺動孔４２ａから可動ロッド４１に作用する摺動抵抗がほぼ一定の大きさになるように構成されている。このスライド部材４２の水平摺動孔４２ａから潤滑油の粘性を介して可動ロッド４１に小さな抵抗が付与され、この可動ロッド４１と水平摺動孔４２ａと潤滑油とが、整列板６がボビン３の軸心方向と平行方向へ移動する際に整列板６に、角線２を密着させる為の小さな抵抗を付与する抵抗付与手段を構成している。
【００３１】
前記の摺動抵抗の大きさは、水平摺動孔４２ａの潤滑油の粘性（つまり潤滑油の温度）により変動するため、スライド部材４２の温度を一定に維持することが望ましい。そこで、スライド部材４２の上面には複数のペルチェ素子により冷却する冷却器４５が装備されると共に、スライド部材４２の温度を検出するサーミスタからなる温度センサ４６が装備され、制御装置は温度センサ４６からの検出信号に基づいて冷却器４５を駆動制御し、スライド部材４２の温度が常に一定の温度（例えば約２０℃）になるように制御する。但し、冷却器４５や温度センサ４６は必須のものではなく、省略可能である。
【００３２】
前記スライド部材４２は、自重によりベース部材４３に沿って下方へ、つまり整列板６がボビン３の周面に接近する方向へ付勢され、スライド部材４２とベース部材４３とが整列板６をボビン３の周面に接近する方向へ付勢する付勢手段を構成している。この付勢手段の付勢力は非常に小さな力でよく、この付勢力を精密に調整する為の付勢力調整機構５０が設けられている。この付勢力調整機構５０は、下部フレーム４３に固着された腕部材５１と、この腕部材５１に傾斜姿勢に固着された固定ナット５２と、この固定ナット５２に螺合されたボルト部材５３と、スライド部材４２に固着された固定ピン５４と、ボルト部材５３と固定ピン５４とに張架された引っ張りコイルバネ５５とで構成され、ボルト部材５３の位置を調節することにより前記の付勢力を調整するようになっている。尚、ボールプランジャ６０は腕部材５１に固定された水平腕６１の先端に設けられ、ボビン３交換の為にスライド部材４２を上方へ退避させた際にスライド部材４２を軽くロック解除可能にロックする。
【００３３】
次に、以上説明した巻線装置１の作用、効果について説明する。
巻取軸１０のボビン装着部１１に空のボビン３を装着し、角線供給リール４から延ばした角線２の端部をボビン３に固定してから、巻取駆動機構２０を駆動してボビン３に角線２を巻取っていく。この角線巻取り時の整列板６と整列板支持機構４０の作用について、図７（ａ）〜図７（ｆ）に基づいて説明する。尚、これらの図には、ボビン３の軸心方向の長さが実際よりも小さく図示されている。
【００３４】
図７（ａ）、図７（ｂ）に示すように、ボビン３に例えば２層目の角線２を巻き付ける際には、角線２がボビン軸心の方向に密着状に並んで整列するように整列板６が角線２を案内しながら矢印の方向へ移動していく。この場合、整列板６には前述のような小さな摺動抵抗が作用するため、整列板６の移動方向と反対側（右側）の案内面６１ａ，６２ａが角線２と接触状態を保ち、その案内面６１ａ，６２ａにより角線２をボビン軸心方向に密着状に並ぶように整列させつつ、角線２から反力を受けて矢印の方向へ移動していく。
【００３５】
図７（ｃ）に示すように、整列板６の側面がボビン３の鍔部３ｂに当接すると、整列板６は移動を停止するが、そのとき右側の案内面６１ａ，６２ａの案内作用により角線２が整列板６の平坦面６１ｂ，６２ｂの下面（内面）側に潜り込んで整列していく。ここで、線ガイド５がボビン３の軸心方向中間位置に対応する位置に固定的に配置されているため、図７（ｃ）に示すように整列板６が移動停止した状態においては、線ガイド５の案内作用により角線２が密着状に整列する。平坦面６１ｂ，６２ｂが巻き付けられた角線２の周面に当接するが、尖っていないので角線２を傷付けることがない。
【００３６】
図７（ｄ）に示すように、角線２がボビン３の鍔部３ｂに到達すると、角線２は１層外側の３層目に移行するが、線ガイド５の案内作用で鍔部３ｂから離隔する方向へ案内されるため鍔部３ｂの所で３層目から４層目に移行することなく、図７（ｅ）に示すように３層目に並ぶ。このとき、左側の案内面６１ａ，６２ａに角線２が接触状態を保ち、案内面６１ａ，６２ａの案内作用で角線２が鍔部３ｂ側へ押されるため、３層目においても角線２がボビン軸心方向に密着状に並んで整列する。以下、上記と同様にして１０〜１５層に多層に整列状に巻き付けられていく。
【００３７】
案内面６１ａ，６２ａのボビン軸心と直交する面に対する傾斜角は約４５度が望ましく、少なくとも４０〜５０度の範囲にするのがよい。傾斜角が４０度より小さい場合は、整列板６がボビン３の鍔部３ｂに当接した際に、図７（ｃ）に示すように、角線２が整列板６の内周側端部下へ潜り込みにくくなる。傾斜角が５０度より大きい場合は、角線２がボビン３の鍔部３ｂの位置で折り返してから互いに密着状に並びにくくなる。
【００３８】
角線２のボビン軸心方向の幅をｄとして、案内面６１ａ，６２ａのボビン軸心方向の長さは（２〜３）ｄであることが望ましい。案内面６１ａ，６２ａのボビン軸心方向の長さが前記の値よりも小さい場合は、整列板６が鍔部３ｂに当接した際に角線２が整列板６の内周側端部下へ潜り込みにくくなる。案内面６１ａ，６２ａのボビン軸心方向の長さが前記の値よりも大きい場合は、角線２が鍔部３ｂの位置で折り返してから互いに密着状に並びにくくなる。
【００３９】
次に、前記実施例を部分的に変更する例について説明する。
１］角線２の断面形状は正方形に限らず長方形状でもよい。角線２の線幅又は線径は、前記４０〜５０μｍに限定されず、種々の太さの角線２を巻く巻線装置であってもよい。
２］前記実施例に記載した諸寸法や金属部材の材質は一例に過ぎず、前記のものに限定されるものではない。
【００４０】
３］前記整列板の案内面６１ａ，６２ａの形状は一例に過ぎず、少し湾曲した案内面でもよく、平坦面６１ｂ，６２ｂも湾曲面であってもよい。
４］巻取軸１０と巻取駆動機構２０の出力軸を一体的に構成してもよい。
５］可動ロッド４１は必要な長さだけの図示のものより短いものに構成してもよい。
スライド部材４２を上部スライド部材と下部スライド部材に分割し、上部スライド部材に可動ロッド４１を固定的に設け、その上部スライド部材を下部スライド部材に対して水平方向へ低摩擦で摺動移動するように構成してもよい。
【００４１】
６］その他、本発明は以上説明した実施例と変更例に限定されるものではなく、当業者であれば、本発明の趣旨を逸脱しない範囲で、前記実施例に種々の変更を付加して実施することができ、本発明はそれらの変更例をも包含するものである。
【産業上の利用可能性】
【００４２】
本発明の巻線装置は、産業上の電気機器や電子機器の種々のコイルを製作する際に巻線を巻く装置として利用可能である。
【図面の簡単な説明】
【００４３】
【図１】本発明の実施例に係る巻線装置の平面図である。
【図２】前記巻線装置の正面図である。
【図３】前記巻線装置の側面図である。
【図４】整列板の側面図である。
【図５】図４のV −V 線断面図である。
【図６】図４のVI−VI線断面図である。
【図７（ａ）】ボビンに角線を巻く際の整列板の動作説明図である。
【図７（ｂ）】ボビンに角線を巻く際の整列板の動作説明図である。
【図７（ｃ）】ボビンに角線を巻く際の整列板の動作説明図である。
【図７（ｄ）】ボビンに角線を巻く際の整列板の動作説明図である。
【図７（ｅ）】ボビンに角線を巻く際の整列板の動作説明図である。
【図７（ｆ）】ボビンに角線を巻く際の整列板の動作説明図である。
【符号の説明】
【００４４】
１  巻線装置
２  角線
３  ボビン
４  角線供給リール
５  線ガイド
６  整列板
１０  巻取軸
２０  巻取駆動機構
４０  整列板支持機構
４１  可動ロッド
４２  スライド部材
５０  付勢力調整機構
６１，６２  当接部
６１ａ，６２ａ  案内面
【図１】
2005203551.tif 000003
【図２】
2005203551.tif 000004
【図３】
2005203551.tif 000005
【図４】
2005203551.tif 000006
【図５】
2005203551.tif 000007
【図６】
2005203551.tif 000008
【図７（ａ）】
2005203551.tif 000009
【図７（ｂ）】
2005203551.tif 000010
【図７（ｃ）】
2005203551.tif 000011
【図７（ｄ）】
2005203551.tif 000012
【図７（ｅ）】
2005203551.tif 000013
【図７（ｆ）】
2005203551.tif 000014